(57)【要約】  より寿命の長い電動機および電動送風機を実現する。本開示に係る電動機は、回転可能に支持される軸（３０１）と、軸（３０１）の外周に取り付けられ、複数の磁極を有するローターコア（３０２）と、ローターコア（３０２）の外周を覆うスリーブ（３０３）と、を備える。ローターコア（３０２）とスリーブ（３０３）とは、軸（３０１）に対して対称に設けられた複数のリブ（３０２ａ）を介して当接する。本開示に係る電動送風機は、上記の電動機を備える。
2019003487.tif 000002
【特許請求の範囲】
【請求項１】
回転可能に支持される軸と、
前記軸の外周に取り付けられ、複数の磁極を有するローターコアと、
前記ローターコアの外周を覆うスリーブと、
を備え、
前記ローターコアと前記スリーブとは、前記軸の軸方向に垂直な投影面において前記軸に対して対称に設けられた複数の凸部を介して当接する電動機。
【請求項２】
前記凸部は前記ローターコアと一体的に形成されている請求項１に記載の電動機。
【請求項３】
前記凸部は、前記ローターコアの軸方向一端から軸方向他端までの一部に形成されている請求項２に記載の電動機。
【請求項４】
前記凸部は、前記ローターコアの軸方向一端から軸方向他端にかけて連続して形成されている請求項２に記載の電動機。
【請求項５】
前記凸部は、前記複数の磁極同士の間に形成されている請求項２から請求項４の何れか１項に記載の電動機。
【請求項６】
前記複数の凸部は、それぞれ、前記複数の磁極の位置に形成されている請求項２から請求項４の何れか１項に記載の電動機。
【請求項７】
前記凸部は、前記スリーブと一体的に形成されている請求項１に記載の電動機。
【請求項８】
前記凸部は、前記スリーブの軸方向一端から軸方向他端までの一部に形成されている請求項７に記載の電動機。
【請求項９】
前記凸部は、前記スリーブの軸方向一端から軸方向他端にかけて連続して形成されている請求項７に記載の電動機。
【請求項１０】
前記スリーブは、非磁性体である請求項７から請求項９の何れか１項に記載の電動機。
【請求項１１】
請求項１から請求項１０の何れか１項に記載された電動機と、
前記軸に取り付けられ、気流を発生させるインペラと、
を備えた電動送風機。
【発明の詳細な説明】
【技術分野】
【０００１】
本発明は、電動機および電動送風機に関するものである。
【背景技術】
【０００２】
特許文献１に、永久磁石回転子が記載されている。永久磁石回転子は、電動機に用いられる。また、電動機は、例えば、電動送風機に用いられる。特許文献１に記載された永久磁石回転子は、シャフト、永久磁石、接着剤および固定材を備える。永久磁石は、当該永久磁石の外周面に設けられた固定材と、当該永久磁石と当該固定材との間に位置する接着剤とによって、シャフトに固定される。
【先行技術文献】
【特許文献】
【０００３】
【特許文献１】日本特開昭６１−２６４６０号公報
【発明の概要】
【発明が解決しようとする課題】
【０００４】
特許文献１においては、永久磁石の中心軸の位置と固定材の中心軸の位置との間にずれが生じる場合がある。このずれにより、永久磁石回転子全体における質量分布にばらつきが生じる。永久磁石回転子全体における質量分布のばらつきは、当該永久磁石回転子が用いられた電動機が運転する際の振動を大きくする要因になる。振動が大きくなった場合、電動機への負荷が大きくなり、当該電動機の寿命が短くなってしまう。【０００５】
本発明は、上記のような課題を解決するためになされたものである。本発明の目的は、より寿命の長い電動機および電動送風機を実現することである。
【課題を解決するための手段】
【０００６】
本発明に係る電動機は、回転可能に支持される軸と、軸の外周に取り付けられ、複数の磁極を有するローターコアと、ローターコアの外周を覆うスリーブと、を備える。ローターコアとスリーブとは、上記の軸の軸方向に垂直な投影面において当該軸に対して対称に設けられた複数の凸部を介して当接する。本発明に係る電動送風機は、上記の電動機と、軸に取り付けられ、気流を発生させるインペラと、を備える。
【発明の効果】
【０００７】
本発明に係る電動機が備えるローターコアとスリーブとは、回転可能に支持された軸の軸方向に垂直な投影面において当該軸に対して対称に設けられた複数の凸部を介して当接する。また、本発明に係る電動送風機は、上記の電動機を備える。このため、本発明によれば、電動機および電動送風機の長寿命化が実現される。
【図面の簡単な説明】
【０００８】
【図１】実施の形態１の電動送風機の外観を示す斜視図である。
【図２】実施の形態１の電動送風機を軸方向から見た正投影図である。
【図３】実施の形態１の電動送風機の断面図である。
【図４】実施の形態１のローターアセンブリの外観を示す斜視図である。
【図５】実施の形態１のローターアセンブリの側面図である。
【図６】実施の形態１のローターアセンブリからスリーブを外した状態を示す斜視図である。
【図７】実施の形態１のローターの分解斜視図である。
【図８】実施の形態１のローターの断面図である。
【図９】図８の部分拡大図である。
【図１０】実施の形態１のリブの配置の第１の例を示す図である。
【図１１】実施の形態１のリブの配置の第２の例を示す図である。
【図１２】実施の形態１の変形例を示す図である。
【図１３】実施の形態２のローターの断面図である。
【図１４】実施の形態２の変形例を示す図である。
【発明を実施するための形態】
【０００９】
以下、図面を参照して、実施の形態について説明する。各図における同一の符号は、同一の部分または相当する部分を示す。本開示では、重複する説明については、適宜に簡略化または省略する。なお、本発明は、以下の各実施の形態に開示される構成のあらゆる組み合わせを含み得るものである。
【００１０】
実施の形態１．
図１は、実施の形態１の電動送風機１００の外観を示す斜視図である。図２は、実施の形態１の電動送風機１００を軸方向から見た正投影図である。図３は、実施の形態１の電動送風機１００の断面図である。図３は、図２のＡ―Ａ断面を示している。このＡ―Ａ断面は、電動送風機１００の中心軸を通る断面である。
【００１１】
電動送風機１００は、一例として、ブラシレス型の電動機を備える。ブラシレス型の電動機は、例えば、定格回転数１０００００［ｒ／ｍｉｎ］で回転する。なお、電動送風機１００が備える電動機は、ブラシレス型に限定されるものではなく、例えば、定格回転数３００００〜５００００［ｒ／ｍｉｎ］で回転するものであってもよい。
【００１２】
電動送風機１００が備える電動機は、フレーム２００を備える。フレーム２００は、電動機の外殻を形成する部材である。フレーム２００の形状は、例えば、段付きの円筒状である。段付きの円筒状のフレーム２００の一端側は、他端側よりも細い。この一端側は、図３の紙面における左側である。フレーム２００の他端側は、図３の紙面における右側である。
【００１３】
電動送風機１００が備える電動機は、ローターアセンブリ３００およびステーター５００を備える。図４は、実施の形態１のローターアセンブリ３００の外観を示す斜視図である。図５は、実施の形態１のローターアセンブリ３００の側面図である。
【００１４】
ローターアセンブリ３００は、軸３０１、ローターコア３０２、スリーブ３０３、第１エンドキャップ３０４、第２エンドキャップ３０５、１対の軸受３０６およびばね３０７を有する。ステーター５００は、ローターコア３０２を回転させる力を当該ローターコア３０２へ付与する部材である。ローターアセンブリ３００の一部およびステーター５００は、図１から図３に示すように、フレーム２００に収容される。
【００１５】
軸３０１は、電動機の回転軸となる部材である。軸３０１は、フレーム２００の内部空間の中央部に配置される。ローターコア３０２および一対の軸受３０６は、この軸３０１に取り付けられる。ローターコア３０２は、永久磁石によって形成される。ローターコア３０２は、複数の磁極を有する。ローターコア３０２は、ステーター５００から受けた力を軸３０１へ伝える部材である。ローターコア３０２は、例えば、円筒状に形成される。ローターコア３０２の内周面は、軸３０１の外周面に接触する。また、軸受３０６の内周面は、軸３０１の外周面に接触する。軸３０１は、軸受３０６を介し、回転可能に支持される。
【００１６】
上述したように、段付きの円筒状のフレーム２００の一端側は、他端側よりも細い。フレーム２００の径が小さい一端側部分の内周面には、軸受３０６を保持する軸受保持部２００ａが形成される。軸受３０６は、当該軸受３０６の外周面が軸受保持部に接触するように設けられる。また、フレーム２００の径が大きい他端側部分の内周面には、ステーター５００を保持するステーター保持部２００ｂが形成される。ローターコア３０２は、このステーター保持部２００ｂに対向する位置に設けられる。ステーター５００は、ローターコア３０２を取り囲むように設けられる。
【００１７】
第１エンドキャップ３０４および第２エンドキャップ３０５は、軸３０１に対するローターコア３０２の位置を決めるための部材である。第１エンドキャップ３０４および第２エンドキャップ３０５の形状は、例えば、段付きの円筒状である。第１エンドキャップ３０４および第２エンドキャップ３０５は、非磁性体である。
【００１８】
第１エンドキャップ３０４は、ローターコア３０２よりも上記一端側へ配置される。第１エンドキャップ３０４は、ローターコア３０２と軸受３０６との間に配置される。第２エンドキャップ３０５は、ローターコア３０２よりも上記他端側へ配置される。第２エンドキャップ３０５は、ローターコア３０２を基準として第１エンドキャップ３０４の反対側に配置される。軸３０１に対するローターコア３０２の位置は、第１エンドキャップ３０４と第２エンドキャップ３０５とに挟まれることで決められる。
【００１９】
また、スリーブ３０３は、ローターコア３０２の外周を覆う部材である。スリーブ３０３は、例えば、円筒状の部材である。スリーブ３０３は、ローターコア３０２を固定するための部材である。本実施の形態において、スリーブ３０３は、ローターコア３０２の外周全体を覆う。または、スリーブ３０３は、第１エンドキャップ３０４の外周の一部と第２エンドキャップ３０５の外周の一部とを覆う。ローターコア３０２とスリーブ３０３との間には、接着剤がある。接着剤により、ローターコア３０２が強く固定される。
【００２０】
本実施の形態のスリーブ３０３は、非磁性体である。一例として、スリーブ３０３は、カーボン繊維と樹脂とを含む複合材料によって形成される。カーボン繊維と樹脂とを含む複合材料は、軽量で高強度かつ耐熱性を有する材料の一例である。
【００２１】
また、電動送風機１００は、インペラ１０１、ブラケット２０１およびカバー２０２を備える。インペラ１０１は、回転することで気流を発生させる部材である。ブラケット２０１およびカバー２０２は、電動送風機１００の外殻の一部を形成する部材である。
【００２２】
図３に示すように、軸３０１の一端側は、軸受３０６を貫通し、フレーム２００の一端側外方へ突出する。インペラ１０１は、軸３０１のうち、フレーム２００の一端側外方へ突出した部分に取り付けられる。本実施の形態において、一対の軸受３０６は、このインペラ１０１とローターコア３０２との間に配置される。また、軸受３０６同士の間には、ばね３０７が設けられている。ばね３０７は、一対の軸受３０６の各々に予圧を付与する部材である。
【００２３】
ブラケット２０１は、フレーム２００の一端側に取り付けられる。ブラケット２０１は、フレーム２００の一端側を囲うように設けられる。カバー２０２は、ブラケット２０１の一端側に取り付けられる。カバー２０２は、インペラ１０１を覆うように設けられる。カバー２０２の一端側には、インペラ１０１の中心に対向する位置に吸気口２０２ａが形成される。ブラケット２０１には、インペラ１０１によって吸気口２０２ａから取り込まれた空気を案内する案内羽根等の部材が収容される。
【００２４】
また、ブラケット２０１の他端側には、排気口２０１ａが形成される。排気口２０１ａは、吸気口２０２ａよりも軸３０１の径方向外方に設けられる。排気口２０１ａは、フレーム２００よりも軸３０１の径方向外方に設けられる。電動送風機１００は、吸気口２０２ａから空気を取り込み、排気口２０１ａから空気を送り出す。
【００２５】
上記したフレーム２００、ブラケット２０１およびカバー２０２は、電動送風機１００の外殻を形成するケーシングの一例である。本実施の形態において、ローターアセンブリ３００、ステーター５００およびインペラ１０１は、このケーシングに収容される。また、吸気口２０２ａおよび排気口２０１ａは、このケーシングに形成されている。
【００２６】
ここで、図３を参照し、電動送風機１００の動作時における空気の流れについて説明する。電動送風機１００の動作時における空気の流れの一部は、図３中に白抜き矢印で示している。電動送風機１００の動作時には、ステーター５００からローターコア３０２に回転力が付与される。これにより、ローターコア３０２および軸３０１が回転する。また、軸３０１に取り付けられたインペラ１０１が回転する。
【００２７】
インペラ１０１が回転すると、吸気口２０２ａにおける圧力が負圧になる。これにより、吸気口２０２ａからカバー２０２内へと空気が吸い込まれる。吸い込まれた空気は、インペラ１０１の中心部から外周へと送られる。インペラ１０１の外周へ送られた空気は、ブラケット２０１の内部を流れ、排気口２０１ａから吹き出される。
【００２８】
また、図３に示すように、フレーム２００には、通気口２００ｃおよび排気口２００ｄが形成されてもよい。通気口２００ｃは、フレーム２００の内部空間とブラケット２０１の内部空間とをつなぐ開口である。排気口２００ｄは、フレーム２００の内部空間と電動送風機１００の外部とをつなぐ開口である。通気口２００ｃおよび排気口２００ｄが形成されることで、ブラケット２０１の内部を流れる空気の一部は、図３に示すように、当該通気口２００ｃを介してフレーム２００の内部へ流れこむ。フレーム２００の内部へ空気が流れ込むことで、ローターアセンブリ３００が冷却される。フレーム２００の内部へ流れ込んだ空気は、排気口２００ｄから排出される。
【００２９】
次に、図６から図９をさらに参照し、本実施の形態のローターアセンブリ３００について、より詳細に説明する。図６は、実施の形態１のローターアセンブリ３００からスリーブ３０３を外した状態を示す斜視図である。図７は、実施の形態１のローター３００ａの分解斜視図である。本実施の形態では、ローターアセンブリ３００から、軸受３０６およびばね３０７を除いたものを、ローター３００ａと称する。ローター３００ａは、軸３０１、ローターコア３０２、スリーブ３０３、第１エンドキャップ３０４、第２エンドキャップ３０５および接着剤等からなる。
【００３０】
また、図８は、実施の形態１のローター３００ａの断面図である。図９は、図８の部分拡大図である。図８は、図５におけるＢ−Ｂ位置での断面を示している。図８は、ローターコア３０２およびスリーブ３０３を通る断面を示している。この断面は。軸３０１の軸方向に垂直な断面である。図８に示す断面における各部材の位置関係は、軸３０１の軸方向に垂直な投影面における各部材の位置関係に対応する。
【００３１】
本実施の形態において、ローター３００ａの軸方向とは、軸３０１の軸方向を意味する。また、軸３０１の軸方向は、円筒状のローターコア３０２の軸方向、円筒状のスリーブ３０３の軸方向、円筒状の第１エンドキャップ３０４の軸方向および円筒状の第２エンドキャップ３０５の軸方向と一致する。軸３０１の軸方向、円筒状のローターコア３０２の軸方向、円筒状のスリーブ３０３の軸方向、円筒状の第１エンドキャップ３０４の軸方向および円筒状の第２エンドキャップ３０５の軸方向を、以下では単に「軸方向」とも称する。また、この軸方向に垂直な方向を、単に、「径方向」とも称する。
【００３２】
各図を参照し、ローター３００ａの組み立て手順およびローター３００ａのより詳細な構成について説明する。まず、永久磁石によって形成されたローターコア３０２が、例えば、圧入、接着、インサート成形等によって、軸３０１に取り付けられる。図８に示すように、円筒状のローターコア３０２の中心軸は、一例として、軸３０１の中心軸と同一直線状にある。このローターコア３０２には、図６から図９に示すように、複数のリブ３０２ａが一体的に形成される。
【００３３】
リブ３０２ａは、径方向に突出する。複数のリブ３０２ａは、それぞれ、軸方向に沿って形成される。ローターコア３０２は、例えば、４極の磁極を有する。一例として、ローターコア３０２には、磁極の数と同数のリブ３０２ａが形成される。ローターコア３０２には、例えば、４つのリブ３０２ａが形成される。
【００３４】
これら複数のリブ３０２ａは、図８に示すように、軸３０１に対して対称に設けられる。例えば、軸方向に垂直な投影面において、リブ３０２ａ同士がなす角度は、それぞれ等しくなる。リブ３０２ａが４つの場合、軸方向に垂直な投影面において、リブ３０２ａ同士がなす角度は、９０度になる。また、リブ３０２ａが３つの場合、軸方向に垂直な投影面においてリブ３０２ａ同士がなす角度は、１２０度になる。
【００３５】
なお、リブ３０２ａ同士がなす角度は、必ずしも全て等しくなくてもよい。複数のリブ３０２ａは、軸３０１に対して対称に設けられればよい。リブ３０２ａは、ローターコア３０２とスリーブ３０３との間の空間４００の偏りをなくすために形成される凸部の一例である。
【００３６】
図８に示すように、円筒状のローターコア３０２のうち、リブ３０２ａが形成されていない部分の外径をＣとする。リブ３０２ａの高さをＤとする。この高さとは、径方向の寸法を意味する。Ｄは、例えば、０．１［ｍｍ］程度である。ローターコア３０２の最大外径は、図８に示すように、Ｃ＋２Ｄである。また、リブ３０２ａの幅を、図９に示すように、Ｅとする。この幅とは、ローターコア３０２の周方向の寸法である。Ｅは、例えば、０．３［ｍｍ］以上である。
【００３７】
また、本実施の形態においてリブ３０２ａは、ローターコア３０２の軸方向一端から軸方向他端までの一部に形成される。ここで、ローターコア３０２の軸方向長さをＬとする。リブ３０２ａは、例えば、ローターコア３０２の軸方向一端から長さＬ２の区間に形成される。長さＬ２は、例えば、ローターコア３０２の軸方向長さＬの２／３以下である。なお、リブ３０２ａが形成される区間およびリブ３０２ａの寸法は、上記した例に限られない。
【００３８】
図７に示すように、軸３０１にローターコア３０２が取り付けられた後、第１エンドキャップ３０４および第２エンドキャップ３０５が取りつけられる。第１エンドキャップ３０４および第２エンドキャップ３０５は、例えば、軸３０１に圧入または接着される。軸３０１には、第１エンドキャップ３０４および第２エンドキャップ３０５の位置を決めるための溝等が形成されてもよい。上述したように、ローターコア３０２は、第１エンドキャップ３０４と第２エンドキャップ３０５とに挟まれる。
【００３９】
第１エンドキャップ３０４の厚さおよび第２エンドキャップ３０５の厚さは、それぞれ、例えば、２［ｍｍ］以上である。厚さとは、軸方向寸法を意味する。ここで、第１エンドキャップ３０４の外径および第２エンドキャップ３０５の外径を、Ｆとする。Ｆは、上述したＣ＋２Ｄ以上である。
【００４０】
軸３０１に第１エンドキャップ３０４および第２エンドキャップ３０５が取りつけられた後、ローターコア３０２の外周面に接着剤が塗布される。このとき、接着剤は、リブ３０２ａには塗られないことが好ましい。接着剤がローターコア３０２に塗布された後、スリーブ３０３が取り付けられる。軸方向において、スリーブ３０３は、例えば、第１エンドキャップ３０４および第２エンドキャップ３０５がそれぞれ１［ｍｍ］以上覆われるように取り付けられる。
【００４１】
ここで、円筒状のスリーブ３０３は、当該スリーブ３０３の内径がＣ＋２Ｄになるように形成される。円筒状のスリーブ３０３の外径は、例えば、ステーター５００の内径よりも０．４［ｍｍ］以上小さい。また、スリーブ３０３の軸方向の長さは、例えば、ローターコア３０２の軸方向長さＬよりも５［ｍｍ］程度長い。
【００４２】
内径がＣ＋２Ｄであるスリーブ３０３の内面は、リブ３０２ａに当たる。リブ３０２ａが形成されたローターコア３０２は、スリーブ３０３に圧入された状態で保持される。また、ローターコア３０２とスリーブ３０３との間の空間４００には接着剤がある。この接着剤により、ローターコア３０２は、軸３０１に対して強固に固定される。
【００４３】
上記の実施の形態において、スリーブ３０３は、リブ３０２ａを介してローターコア３０２に当接している。リブ３０２ａは、軸３０１の軸方向に垂直な投影面において軸３０１に対して対称に設けられた凸部の一例である。ローターコア３０２とスリーブ３０３とが当接することで、ローターコア３０２の中心軸の位置とスリーブ３０３の中心軸の位置とのずれが抑えられる。これにより、ローター３００ａの質量分布のばらつきが低減し、ローター３００ａが回転した際に発生する振動が抑制される。上記の実施の形態であれば、電動機に与えられる負荷が低減し、電動機およびこの電動機を備えた電動送風機１００の長寿命化が実現される。
【００４４】
また、リブ３０２ａにより、ローターコア３０２とスリーブ３０３との間の空間４００の形状の偏りがなくなる。これにより、空間４００内には、接着剤が均一に満ちる。上記の実施の形態であれば、スリーブ３０３は、ローターコア３０２の全体を均一な力で保持することができる。これにより、例えば、ローター３００ａが高速で回転した際に発生する遠心力によってローターコア３０２に与えられる負荷が、スリーブ３０３によって効果的に抑制される。上記の実施の形態であれば、電動機の長寿命化をより促進することができる。
【００４５】
上記の実施の形態において、リブ３０２ａは、ローターコア３０２の軸方向一端から軸方向他端までの一部に形成されている。これにより、ローターコア３０２の外周面に接着剤を塗布する際の作業性が良好になる。
【００４６】
なお接着剤は、スリーブ３０３が取り付けられた後に空間４００に充填されてもよい。上記の実施の形態では、リブ３０２ａがローターコア３０２の軸方向一端から軸方向他端までの一部に形成されるため、空間４００は一つの一体的な空間である。このため、スリーブ３０３が取り付けられた後に接着剤を空間４００に充填する場合、接着剤は当該空間４００に容易に均一に充填される。また、接着剤には、例えば２液性のものが用いられる。上記の実施の形態であれば、空間４００が一つの一体的な空間であるため、２液性の接着剤を均一に混合しつつ充填する作業が容易に可能となる。
【００４７】
図１０は、実施の形態１のリブ３０２ａの配置の第１の例を示す図である。図１０に示すように、リブ３０２ａは、ローターコア３０２の磁極同士の間に形成されてもよい。これにより、ローターコア３０２における磁力線が歪んでしまうことが防止される。また、図１１は、実施の形態１のリブ３０２ａの配置の第２の例を示す図である。複数のリブ３０２ａは、それぞれ、複数の磁極の位置に形成されてもよい。これにより、磁極とステーター５００との距離が近づき、電動機の運転効率がよくなる。
【００４８】
図１２は、実施の形態１の変形例を示す図である。リブ３０２ａは、図１２に示すように、ローターコア３０２の軸方向一端から軸方向他端にかけて連続して形成されてもよい。言い換えると、リブ３０２ａは、ローターコア３０２の軸方向一側端面から軸方向他側端面とをつなぐように形成されてもよい。リブ３０２ａは、スリーブ３０３を貫通するように形成されてもよい。本変形例であれば、リブ３０２ａとスリーブ３０３との接触面積がより大きくなる。これにより、ローター３００ａは、スリーブ３０３によってより強固に保持される。また、ローターコア３０２の中心軸の位置とスリーブ３０３の中心軸の位置とのずれが、より確実に抑えられる。
【００４９】
実施の形態２．
次に、実施の形態２について説明する。実施の形態２については、上述した実施の形態１との相違点を中心に説明する。実施の形態１と同一または相当する部分については、同じ符号を付し、また、説明を簡略化および省略する。図１３は、実施の形態２のローターの３００ａの断面図である。また、図１４は、実施の形態２の変形例を示す図である。本実施の形態の構成は、基本的に実施の形態１と同様である。
【００５０】
本実施の形態では、リブ３０２ａの代わりにリブ３０３ａが形成される。リブ３０３ａは、ローターコア３０２ではなくスリーブ３０３に一体的に形成される。本実施の形態のように、スリーブ３０３にリブ３０３ａが形成されても、上記の実施の形態１と同様の効果が得られる。また、永久磁石によって形成されるローターコア３０２の形状が滑らかになることで、当該ローターコア３０２における磁力線の歪みが抑制される。
【００５１】
リブ３０３ａは、実施の形態１のリブ３０２ａと同様、スリーブ３０３の軸方向一端から軸方向他端までの一部に形成されてもよい。この場合、スリーブ３０３を取り付ける際の作業性と接着剤を塗布または充填する際の作業性が良好になる。また、リブ３０３ａは、スリーブ３０３の軸方向一端から軸方向他端にかけて連続して形成されてもよい。この場合、実施の形態１と同様、ローター３００ａは、スリーブ３０３によってより強固に保持される。また、ローターコア３０２の中心軸の位置とスリーブ３０３の中心軸の位置とのずれが、より確実に抑えられる。
【００５２】
また、スリーブ３０３は、一例として非磁性体である。非磁性体であるスリーブ３０３にリブ３０３ａが形成された場合、ローターコア３０２を中心として当該スリーブ３０３が回転しても、ローターコア３０２における磁力線が歪まない。本例であれば、スリーブ３０３をローターコア３０２に対して取り付ける際の位置決めが容易になる。
【００５３】
また、スリーブ３０３に形成される凸部は、径方向に突出するリブ状のものでなくてもよい。例えば、スリーブ３０３には、図１４に示すように、接触部３０３ｂが形成されてもよい。ローターコア３０２とスリーブ３０３とを当接させる凸部の形状は、任意のものでもよい。
【００５４】
以上説明した実施の形態１または実施の形態２によれば、電動機の長寿命化を実現することができる。上記の各実施の形態によれば、特に、ＤＣブラシレスモーターのように高回転の電動機の長寿命化を効果的に実現することができる。また、各実施の形態における電動送風機１００は、例えば、スティック型の電気掃除機の駆動源として使用できる。電動送風機１００は、手乾燥機の駆動源としても使用できる。電動送風機１００を搭載した製品の寿命は、従来に比べてより長くなる。なお、本発明に係る電動機は、実施の形態１で説明したリブ３０２ａとリブ３０３ａとを両方備えていてもよい。また、本発明に係る電動機、上記の各実施の形態におけるローターコア３０２およびスリーブ３０３とは別体として形成された凸部を備えていてもよい。
【産業上の利用可能性】
【００５５】
本開示に係る電動機および電動送風機は、例えば、電気掃除機および手乾燥機等の任意製品の駆動源として利用される。
【符号の説明】
【００５６】
１００  電動送風機、  １０１  インペラ、  ２００  フレーム、  ２００ａ  軸受保持部、  ２００ｂ  ステーター保持部、  ２００ｃ  通気口、  ２００ｄ  排気口、  ２０１  ブラケット、  ２０１ａ  排気口、  ２０２  カバー、  ２０２ａ  吸気口、  ３００  ローターアセンブリ、  ３００ａ  ローター、  ３０１  軸、  ３０２  ローターコア、  ３０２ａ  リブ、  ３０３  スリーブ、  ３０３ａ  リブ、  ３０３ｂ  接触部、  ３０４  第１エンドキャップ、  ３０５  第２エンドキャップ、  ３０６  軸受、  ３０７  ばね、  ４００  空間、  ５００  ステーター
【図１】
2019003487.tif 000003
【図２】
2019003487.tif 000004
【図３】
2019003487.tif 000005
【図４】
2019003487.tif 000006
【図５】
2019003487.tif 000007
【図６】
2019003487.tif 000008
【図７】
2019003487.tif 000009
【図８】
2019003487.tif 000010
【図９】
2019003487.tif 000011
【図１０】
2019003487.tif 000012
【図１１】
2019003487.tif 000013
【図１２】
2019003487.tif 000014
【図１３】
2019003487.tif 000015
【図１４】
2019003487.tif 000016
【国際調査報告】
2019003487.tif 000017
2019003487.tif 000018
2019003487.tif 000019
2019003487.tif 000020